(57)【要約】本発明に係る光パルス圧縮反射装置は、単一波長連続光源、分光器、ＦＭパルス発生モジュール、光方向性結合器、待測光、光結合器、バランス光電探査機、及びパルス圧縮処理モジュールを含んで構成される。本発明は、従来の光時間領域反射技術の空間分解能力と検出範囲との矛盾の関係を破り、ＦＭ技術の高空間分解能力を生かすことができるとともに、光周波数反射技術より検出範囲を更に広げるものである。
2016524715.tif 000002
【特許請求の範囲】
【請求項１】
単一波長連続光源（１）、分光器（２）、ＦＭパルス発生モジュール（３）、光方向性結合器（５）、待測光ファイバ（６）、光結合器（９）、バランス光電探査器（１０）、及び、パルス圧縮処理モジュール（１１）を含む、光パルス圧縮反射装置であって、
前記単一波長連続光源（１）の出力端子が、前記分光器（２）の入力端子に接続され、
前記分光器（２）の第１出力端子が、前記ＦＭパルス発生モジュール（３）を通じて、前記光方向性結合器（５）の第１端子に接続され、
前記光方向性結合器（５）の第２端子が、前記待測光ファイバ（６）に接続され、
前記光方向性結合器（５）の第３端子が、前記光結合器（９）の第１端子に接続され、
前記分光器（２）の第２出力端子が、前記光結合器（９）の第２出力端子に接続され、
前記光結合器（９）の２つの出力端子が、前記バランス光電探査器（１０）に接続され、
前記バランス光電探査器（１０）の出力端子が、前記パルス圧縮処理モジュール（１１）に接続される。
ことを特徴とする、光パルス圧縮反射装置。
【請求項２】
請求項１に記載の光パルス圧縮反射装置であって、
前記ＦＭパルス発生モジュール（３）は、偏光コントローラ（１２）、線形ＦＭ圧振コントローラ（１３）、波形発生器（１４）、単側帯波変調器（１５）、偏光振コントローラ（１６）、エルビウム添加光ファイバ増幅器（１７）、Ｍａｃｈ−Ｚｅｈｎｄｅｒ電光変調器（１８）、及び、エルビウム添加光ファイバ増幅器（１９）を含み、
前記波形発生器（１４）の波出力端子が、前記線形ＦＭ圧振コントローラ（１３）の入力端子に接続され、
前記線形ＦＭ圧振コントローラ（１３）の出力端子が、前記単側帯波変調器（１５）の電気信号の入力端子に接続され、
前記分光器（２）の第１出力端子が、前記偏光コントローラ（１２）を通して前記単側帯波変調器（１５）の入力端子に接続され、
前記単側帯波変調器（１５）の出力端子が、順次に前記偏光コントローラ（１６）及びエルビウム添加光ファイバ増幅器（１７）を通じて、前記Ｍａｃｈ−Ｚｅｈｎｄｅｒ電光変調器（１８）の入力端子に接続され、
前記波形発生器（１４）のパルス出力端子が、前記Ｍａｃｈ−Ｚｅｈｎｄｅｒ電光変調器（１８）の電気信号の入力端子と接続され、
前記Ｍａｃｈ−Ｚｅｈｎｄｅｒ電光変調器（１８）の出力端子が、前記エルビウム添加光ファイバ増幅器（１９）を通じ、前記光方向性結合器（５）の入力端子と接続される、
ことを特徴とする、光パルス圧縮反射装置。
【請求項３】
請求項１に記載の光パルス圧縮反射装置であって、
前記ＦＭパルス発生モジュール（３）は、波形発生器（２０）、線形ＦＭ圧振コントローラ（２１）、偏光コントローラ（２２）、単側帯波変調器（２３）、及び、エルビウム添加光ファイバ増幅器（２４）を含み、
前記波形発生器（２０）の２つの出力端子が、それぞれ前記線形ＦＭ圧振コントローラ（２１）の電気信号出力端子及びイネーブル信号の入力端子に接続され、
線形ＦＭ圧振コントローラ（２１）の出力端子が、前記単側帯波変調器（２３）の電気信号入力端子に接続され、
前記分光器（２）の第１出力端子が、前記偏光コントローラ（２２）を通して前記単側帯波変調器（２３）の入力端子に接続され、
前記単側帯波変調器（２３）の出力端子が、前記エルビウム添加光ファイバ増幅器（２４）を通じ、前記光方向性結合器（５）の入力端子と接続される、
ことを特徴とする、光パルス圧縮反射装置。
【請求項４】
請求項２に記載の光パルス圧縮反射装置であって、
前記Ｍａｃｈ−Ｚｅｈｎｄｅｒ電光変調器（１８）が光強度変調器、単側帯波変調器、又は電気吸収変調器である、
ことを特徴とする、光パルス圧縮反射装置。
【請求項５】
請求項１に記載の光パルス圧縮反射装置であって、
前記パルス圧縮処理モジュール（１１）が順次に接続するデータ取得器（２５）、直交複調器（２６）、及び、整合フィルタ（２７）を含み、
前記データ取得器（２５）は、前記バランス光電探査器（１０）の出力電気信号を取得し、
前記直交複調器（２６）は、取得した信号を直交複調し、
前記整合フィルタ（２７）は、直交複調した信号をマッチングフィルタする、
ことを特徴とする、光パルス圧縮反射装置。
【請求項６】
請求項５に記載の光パルス圧縮反射装置であって、
前記データ取得器（２５）は、アナログ受信回路、アナログ／ディジタル変換モジュール、データ取得カード、又は、オシロスコープである、
ことを特徴とする、光パルス圧縮反射装置。
【請求項７】
請求項４に記載の光パルス圧縮反射装置であって、
前記パルス圧縮処理モジュール（１１）は、アナログ信号処理回路、デジタルシグナルプロセッサ、又は、コンピュータソフトウェアである、
ことを特徴とする、光パルス圧縮反射装置。
【請求項８】
請求項１に記載の光パルス圧縮反射装置であって、
単側波長連続光源（１）は、半導体レーザ、光ファイバレーザ、ガスレーザ、又は、色素レーザである、
ことを特徴とする、光パルス圧縮反射装置。
【請求項９】
請求項１に記載の光パルス圧縮反射装置であって、
前記光結合器（９）が２×２光結合器である、
ことを特徴とする、光パルス圧縮反射装置。
【請求項１０】
請求項１に記載の光パルス圧縮反射装置であって、
前記のバランス光電探査器（１０）は、ＰＩＮダイオード又はＡＰＤアバランシェフォトダイオードである、
ことを特徴とする、光パルス圧縮反射装置。
【請求項１１】
請求項１に記載の光パルス圧縮反射装置であって、
前記の光方向性結合器（５）は、光サーキュレータ又は光結合器である、
ことを特徴とする、光パルス圧縮反射装置。
【発明の詳細な説明】
【技術分野】
【０００１】
本発明は、光ファイバセンシング技術に関する。具体的には、プローブパルスにパルス圧縮を行う光時間領域反射装置に関する。
【背景技術】
【０００２】
光反射技術は、光ファイバセンシング領域において幅広く使われている。その基本的な原理は、試験ファイバにプローブ光を発し、光電検出器により、後ろ向きの散乱光の強度曲線が得られ、試験ファイバのロスとブレークポイントなどのデータを分析する。従来の光時間領域反射技術は光パルスをプローブ光として使用し、その空間分解能がパルスの幅に左右され、パルス幅が狭ければ狭いほど、解像度が高くなる。しかし、光パルスの出力パワーの限りを考えてみると、光パルスの幅が狭ければ、パワーが小さくなることによって、探査光が雑音の中に埋もれやすくなり、探査範囲が小さくなる（非特許文献１参照）。そのため、従来の光学時間領域反射技術の空間解像度と探査範囲の間に矛盾があった。
【０００３】
従来の光学時間領域反射技術のネックを乗り切るために、光周波数領域反射技術が提出された。光周波数領域反射技術は線形ＦＭの連続光を探査光とし、光ファイバの異なる位置から反射してきた光信号と線形ＦＭ連続光の間にある位相差によって、異なる周波数の光ビートの信号が発生する。また光電探査器を通じて光電流に変換され、そして周波数応答領域に変換され、光ファイバの反射情報を得る。光周波数領域反射技術の空間解像度は線形ＦＭの範囲のみに左右されるため、空間解像度と探査範囲との間に相互的に制約しないのである。しかし、光周波数領域反射技術における探査範囲は光源のコヒーレンス長に制限される。探査光が雑音に埋もれないよう、最大の探査範囲は光源のコヒーレンスの半分までになる（非特許文献２参照）。
【０００４】
レーダ技術に比較して、従来の光学時間領域反射技術はパルスレーダーシステムに類似するのに対して、光周波数反射技術はＦＭ連続波レーダのメカニズムに類似する。レーダ技術におきパルス圧縮レーダーシステムもあり、空間解像度と探査範囲の間に相互制約の矛盾関係が存在しない。その解像度がＦＭ範囲としか関連しない上に、探査範囲がＦＭ連続波レーダより広い（非特許文献３参照）。
【先行技術文献】
【非特許文献】
【０００５】
【非特許文献１】M．K．Barnoski,M.D.Rourke,S.M..Jensen, R.T.Melbille,”Optical time domain reflectometer,”Applied Optics,vol. 16,no.9.pp.2375-2379,1977
【非特許文献２】D.Uttam and B.Culshaw, “Precision time domain reflectometry in optical +fiber systems using a frequency modulated continuous wave ranging technique,”Journal of lightwave Technology, vol.3,no. 5, pp.971-977,1985
【非特許文献３】M.A.Richards, Fundamentals of radar signal processing, McGraw-Hill Education,2005
【発明の概要】
【発明が解決しようとする課題】
【０００６】
そこで圧縮パルスレーダ技術が光時間領域反射技術へ応用されることにより、従来の光学時間領域反射技術の空間解像度と探査範囲との矛盾関係を改善され、圧縮パルス技術の超高空間の分解能力などの特徴を活かせると共に、光周波数反射技術より探査範囲が広くなる。
【０００７】
上記の既存技術の不足を克服するため、光パルス圧縮反射装置を発明した。それによって従来の光学時間領域反射技術より空間の解像度が高くなり、光周波数反射技術より探査範囲が広くなることができた。
【課題を解決するための手段】
【０００８】
本発明の技術解決案は次の通りである。
【０００９】
光パルス圧縮反射装置であり、単一波長連続光源と、分光器と、ＦＭパルス発生モジュールと、光方向性結合器と、待側光と、光結合器と、光カプラと、バランス光電探査器とパルス圧縮処理モジュールなどを含む特徴がある。
【００１０】
前記各部品の接続関係は次の通りである。
【００１１】
前記の単一波長連続光源の出力端子と前記分光器の入力端子に接続し、同分光器の第１出力端子が前記のＦＭパルス発生モジュールを通じ、光方向性結合器の第１端子に接続し、同光方向性結合器の第２端子が前記の待測光ファイバと接続し、その光方向性結合器の第３端子が前記光結合器の第１端子に接続し、前述の分光器の第２出力端子が前述光結合器の第２入力端子に接続する。
【００１２】
前期光結合器における２つの出力端子が前記バランス光電探査器に接続し、同バランス光電探査器の出力端子が前記パルス圧縮処理モジュールに接続する。
【００１３】
前記ＦＭパルス発生モジュールの具体的な実施計画案１は、偏光器、線形ＦＭ圧発信器、波形発生器、単側帯波変調器、偏光器、エルビウム添加光ファイバ増幅器、Ｍａｃｈ−Ｚｅｈｎｄｅｒ電光変調器とエルビウム添加光ファイバ増幅器などを含む。
【００１４】
前記ＦＭパルス発生モジュールの具体的な実施案２は偏光器、線形ＦＭ圧発振器、波形発生器、単側帯波変調器、エルビウム添加光ファイバ増幅器を含む。
【００１５】
前記波形発生器の波の出力端子が上記の線形ＦＭ圧発振器の入力端子につながり、同線形ＦＭ圧発振器の出力端子が前記単側帯波変調器の電気信号入力端子に接続して、上記の分光器の第１出力端子が偏波コントローラを通じ、前記単側帯波変調器の出力端子に接続し、同単側帯波変調器の出力端子が順次に上記の偏波器、エルビウム添加光ファイバ増幅器を通じて、上記のＭａｃｈ−Ｚｅｈｎｄｅｒ電光変調器の電気信号端子と接続し、前記Ｍａｃｈ−Ｚｅｈｎｄｅｒ電光変調器の出力端子が上記のエルビウム添加光ファイバ増幅器を通じて、前記光結合器の入力端子と接続する。
【００１６】
前記Ｍａｃｈ−Ｚｅｈｎｄｅｒ電光変調器は光の強さの変調器、単側帯波変調器や電気吸収変調器である。
【００１７】
前記パルス圧縮処理モジュールは順次に接続するデータ取得装置、直交復調器や整合フィルタを含む。
【００１８】
前記データ取得装置は上記のバランス光電探査機出力の信号を採集して、上記の直交復調器が採集した信号を直交復調し、上記の整合フィルタが直交復調後の信号をマッチングフィルタする。
【００１９】
前記データ取得装置はアナログ受信回路、モジュール変換モジュール、データ収集カード又はオシロスコープである。
【００２０】
前記パルス圧縮処理モジュールはアナログ信号処理回路、デジタルシグナルプロセッサやコンピュータソフトウェアである。
【００２１】
上記の単一波長連続光源は半導体レーザ、光ファイバレーザ、体レーザや色素レーザである。
【００２２】
前記光カプラは２ｘ２光カプラである。
【００２３】
前記バランス光電探査機はＰＩＮダイオードあるいはＡＰＤアバランシェフォトダイオードである。
【００２４】
前記光方向性結合器は環状器あるいは光カプラである。
【００２５】
本発明のメカニズムは次の通りである。
【００２６】
光源を２つに分ける。１つをコヒーレンス検出の参考の光にするのに対し、もう１つはＦＭ光パルスを探査光にし、パルス圧縮処理によって時間領域上において狭いパルスに圧縮し、そして圧縮率はＦＭ範囲と光パルスの幅にしか関連しない。具体的に単一波長連続光源が発生した単色連続光信号は分光器に分光され、ＦＭパルス発生モジュールが分光された１つの光信号をＦＭ光パルスに変更し探査光とする。光配向カプラが端から端に探査光を待測光ファイバに変換し、発生した後ろ向きの散乱光、あるいは反射光が光方向性結合器へ出力され、上記の光結合器の入力の端に後ろ向散乱光が接続され、分光器が分光したもう１つの光が参考光として上記の光カプラの一部に接続され、光カプラの２通りの出力端子にバランス光電探査器が接続され、前記コヒーレンスを測定する。パルス圧縮処理モジュールはコヒーレンスを検出した信号に前述のパルス圧縮処理を行う。
【００２７】
既存技術と比較し、次の利点がある。
【００２８】
１．パルス圧縮の原理は従来の光時間領域反射技術の空間解像度と探査範囲などの制限を破ったと同時に、光ＦＭ領域反射技術より大きい探査範囲が広くなる。
【００２９】
２．１つのレーザ器だけで、探査光として使用しながら、コヒーレント検出の参考光としても使用し、超越レーザコヒーレント距離の長測定距離の光領域装置の位相補償装置より簡単に実行できる。
【図面の簡単な説明】
【００３０】
【図１】本発明に係る光パルス圧縮反射装置の構造の概略図である。
【図２】本発明に係る光パルス圧縮反射装置のパルス圧縮処理概略図である。（ａ）は元のパルスで、（ｂ）は圧縮後パルスである。
【図３】本発明に係る光パルス圧縮反射装置のＦＭ光パルス発生モジュールの具体的なの実施案１の概略図である。
【図４】本発明に係る光パルス圧縮反射装置のＦＭ光パルス発生モジュールの具体的な実施案２の概略図である。
【図５】本発明に係る光パルス圧縮反射装置のパルス圧縮処理モジュールの構造の概略図である。
【図６】本発明に係る光パルス圧縮反射装置のＦＭパルス発生モジュールが発生する波形の具体的な実施案の実験の結果である。（ａ）は後ろ向きの散乱曲線であり、（ｂ）は空間分解能の検証である。（実験の条件はパルスの幅が２μｓであり、ＦＭ範囲が２２１Ｍｈｚであり、レーザ源の幅が１００ｋｈｚであり、空間の解像度が５０ｃｍであり、テストの範囲が５．４ｋｍである。）
【図７】本発明に係る光パルス圧縮反射装置のＦＭパルス発生モジュールが発生する波形の具体的な実施案２の実験の結果である。（ａ）は後ろ向きの散乱曲線であり、（ｂ）は空間分解能の検証である。（実験の条件はパルスの幅が１μｓであり、ＦＭ範囲が１Ｇｈｚであり、レーザ源の幅が１００ｋｈｚであり、空間の解像度が１００ｃｍであり、測定範囲が５．４ｋｍである。）
【発明を実施するための形態】
【００３１】
添付図を用いて本発明の具体的な実施例を挙げる。本実施例は、本発明の技術案を前提に実施し、詳しい実施方法とプロセスを述べるが、本発明の保護範囲は下記の実施例に限らない。
【００３２】
図１は、本発明光パルス圧縮反射装置の構造の概略図である。当図に示すように、単一波長連続光源１、分光器２、ＦＭパルス発生モジュール３、光方向性結合器５、待測光ファイバ６、光結合器９、バランス光電探査機１０、及び、パルス圧縮処理モジュール１１で構造される。
【００３３】
前記各部品の接続関係は下記の通りである。
【００３４】
前記単一波長連続光源１が発生した単一色連続光信号が前記分光器２において分光され、上記のＦＭパルス発生モジュール３が分光された後ろの光信号をＦＭ光パルスに変換し、探査光４とする。前記光方向性結合器５の第１端子が当探査光４を受信し、第２端子より上記の待測光ファイバ６に出力すると同時に、当光方向性結合器５の第２端子は待測光ファイバ６が発生した後ろ向き散乱光を受信し、第３の端子より出力する。前記分光器２が分光したもう１つの光を参考光７とし、光結合器９の第１入力端子に接続し、前記光結合器９が２回路の出力が上記のバランス光電探査器１０に接続し、コヒーレントを検出し、前記パルス圧縮処理モジュール１１が前記バランス光電探査器１０の出力した信号にパルス圧縮処理を行う。
【００３５】
線形ＦＭを例に説明し、ｓ（ｔ）が線形ＦＭパルス信号で、ｙ（ｔ）がパルス圧縮後の信号である。
【００３６】
【数１】
2016524715.tif 000003
【００３７】
Ａがパルス振幅であり、Ｔがパルス幅であり、ＫがＦＭ速度であり、ｒｅｃｔ（）が矩形関数である。
【００３８】
図２は前記プロセスのシミュレーション図で、本発明パルス圧縮光反射システムのパルス圧縮処理概略図である。（ａ）が元のパルスで、（ｂ）が圧縮後のパルスである。ＦＭ範囲Ｂ＝ＫＴと定義し、そのパルス幅はＦＭ範囲Ｂである。空間分解能Ｚが最小識別可距離と定義し、時間領域反射方法において探査パルスの幅と媒体の光速の積である。本発明のパルス圧縮光反射システムにおき空間分解能はＦＭ範囲Ｂのみと関連する。
【００３９】
【数２】
2016524715.tif 000004
【００４０】
ｃは真空中の光速であり、ｎは媒質の屈折率である。
【００４１】
本システムの探査範囲は、信号の電力が雑音パワーを上回ることを保障する最大探査距離と定義し、時間領域反射方法においてパルスの幅が増えれば増えて行く。本発明のパルス圧縮光反射システムの空間分解能がＦＭ範囲Ｂと関連し、パルスの幅に影響されないため、本発明のパルス圧縮反射システムは高い空間分解能を保証するうえに、パルスの幅を広げることによって、探査範囲を拡大する。また、図２の示すように、パルス圧縮によって、もともと均等分布のエネルギーが短時間に集約されることによって、反射信号の瞬時電力が高まると共に、ＳＮ比も高まり、探査範囲が広がる。
【００４２】
図３は、本発明パルス圧縮反射装置におけるＦＭ光パルス発生モジュールの具体的な実施案１の概略図である。図３に示すように、ＦＭ光パルス発生モジュールが、偏光コントローラ１２と、線形ＦＭ圧発振器１３と、波形発生器１４と、単側帯波変調器１５と、偏光コントローラ１６と、エルビウム添加光ファイバ増幅器１７と、Ｍａｃｈ−Ｚｅｈｎｄｅｒ電光変調器１８と、エルビウム添加光ファイバ増幅器１９を含む。ＦＭパルス発生モジュールの具体実施案１の各部品の接続関係は、前記波形発生器１４が発生した周期性のこぎり波が上記の線形ＦＭ圧発振器１３を駆動し、前記線形ＦＭ圧発振器１３の出力端子を前記単側帯波変調器１５の電気信号の入力端子に接続し、前記分光器２に分光された光が前記偏波コントローラ１２を通じ、前記単側帯波変調器１５に接続し、前記単側帯波変調器１５の出力光が前記偏波コントローラ１６及びエルビウム添加光ファイバ増幅器１７を通じＭａｃｈ−Ｚｅｈｎｄｅｒ電光変調器１８に接続する。同時に、前記波形発生器が発生したのこぎり波と同期のパルスが前記Ｍａｃｈ−Ｚｅｈｎｄｅｒ電光変調器１８の電気信号の入力端子に接続する。前記Ｍａｃｈ−Ｚｅｈｎｄｅｒ電光変調器１８の出力光がエルビウム添加光ファイバ増幅器１９を通じ、前記探査光４を発生する。
【００４３】
図４は、本発明光パルス圧縮反射装置におけるＦＭ光パルスがモジュールを発生する具体的な実施案２の概略図である。概略図に示すように、ＦＭ光パルス発生モジュールは、波形信号発生器２０と、線形ＦＭ圧発振器２１と、偏光コントローラ２２と、単側帯波変調器２３とエルビウム添加光ファイバ増幅器２４を含む。ＦＭパルスモジュール発生の具体的な実施案２の各部品の接続関係は、前記波形信号発生器２０が２通りの信号を発生し、１つは周期性のこぎり波で、前記線形ＦＭ圧発振器２１の電気信号入力端子に接続される。もう１つは周期性のパルス信号で、そのパルス幅が上記の周期性のこぎり波の周期と同じで、前記ＦＭ圧発振器２１の出力端子に接続される。前記線形ＦＭ圧発振器１３の出力端子が前記単側帯波変調器２３の電気信号の入力端子に接続される。そして前記分光器２に分光された１つの光が偏光コントローラを通じて、上記の単側帯波変調器２３に接続され、前記単側帯波変調器２３の出力光が上記のエルビウム添加光ファイバ増幅器２４を通じて、上記の探査光４を発生する。
【００４４】
図５は、本発明の光パルス圧縮反射装置におけるパルス圧縮モジュール発生の構造の概略図である。概略図に示すように、パルス圧縮モジュール発生は、順次に接続するデータ取得装置２５と、直交デコーダー２６と、整合フィルタ２７を含む。前記データ取得装置２５が上記のコヒーレンス検出８が出力した電気信号によって取得する。前記直交デコーダー２６が取得した信号に直交復調を行い、前記整合フィルタ２７が直交復調した信号にマッチングフィルタをかける。
【００４５】
本発明の原理は下記の通りである。
【００４６】
線形ＦＭ圧振器は、周期性のこぎり波に駆動され、線形周波掃引の連続波を出力する。単側帯波変調器は出力電気信号を光の上の帯か下の帯のみに調整するため、出力光の周波数と電気信号の周波数が割線形関係になり、前記ＦＭ光パルスモジュール発生の具体的な実施案１において、前記線形ＦＭ圧振器が発生した線形掃引の連続光を受信し、前記単側帯波変調器は線形掃引の連続光を発生する。Ｍａｃｈ−Ｚｅｈｎｄｅｒ電光変調器を通じて、線形掃引の光パルスを周期性のこぎり波と同期のパルスに変調し線形掃引の光パルスをつくる。ＦＭ光パルスモジュール発生の具体的な実施案２において、周期性のこぎり波と同期のパルスを上記線形ＦＭ圧振器のイネーブル端子に接続し、上記の線形ＦＭ圧振器自身が線形掃引の電気パルスを発生することによって、前記線形ＦＭ圧振器が発生した掃引電気パルスを受信すると、単側帯波変調器が線形掃引の光パルスを発生する。
【００４７】
光結合器が光ファイバ後ろ向き反射光と参考光を干渉し、バランス光電探査器がコヒーレントを検知することによって、光電場と周波数変調データが得られる。データ取得器がそのデータを取得し、直交復調することによって、実信号を複信号に変調し、その信号の中心周波数をＭＦあるいは０までに下げて、整合フィルタを通じ、更にパルスが圧縮されることが実現できると同時に、反射信号ＳＮＲが大幅に向上する。
【図１】
2016524715.tif 000005
【図２】
2016524715.tif 000006
【図３】
2016524715.tif 000007
【図４】
2016524715.tif 000008
【図５】
2016524715.tif 000009
【図６】
2016524715.tif 000010
【図７】
2016524715.tif 000011
【国際調査報告】
2016524715.tif 000012
2016524715.tif 000013
2016524715.tif 000014
2016524715.tif 000015